(57)【要約】      （修正有）【課題】ブラシの毛質、ブラシの肌への接触感、使用感、ブラシの柄部の長さにおいて、専門技術者が満足できる化粧用ブラシセットとポーチを提供する。【解決手段】ブラシの毛質、肌への接触感に関しては、ミックスする毛質の割合に特に配慮した。単一の毛質を用いる場合も入念なチェック管理の下で、最高の使用感を達成すべく可能な限りの最上の毛質を選択した。またブラシの柄部の長さについては、柄部の太さ、毛束の広がりまで配慮した上でプロ仕様にふさわしい長さを実現した。尚、ブラシのデザイン性も重視し、柄部の色は、色出し段階からオリジナルカラーを指定し、プロが使用するにふさわしい重厚感を実現した。また、ブラシを最上の状態で保管できるように、材質、形状、デザイン性にも配慮してプロが使用するにふさわしい重厚感のあるポーチも併せて開発した。【選択図】図１
2006095248.tif 000002
【特許請求の範囲】
【請求項１】
極上の毛筆、最上の使用感のブラシから構成される専門技術者向けの化粧用ブラシセット。
【請求項２】
ブラシプロテクターとブラシセットの各ブラシの柄部の太さに応じた最適な幅のマチで構成されるポーチ。
【発明の詳細な説明】
【発明の詳細な説明】
【技術分野】
【００１】この発明は、専門技術者向け化粧用ブラシセットとポーチに関するものである。
【背景技術】
【００２】ブラシのデザインや携帯性を第一に考えたもの、価格競争を意識して劣悪な毛筆を使用したもの、ブラシ自体の管理方法を考えていないものなど、高度なテクニックを要求される専門家向けのブラシセットは存在しなかった。
【発明が解決しようとする課題】
【００３】そのために、次のような欠点があった。
（イ）ブラシのデザイン性を重視した為に、ブラシの柄部の長さ、太さへの配慮が足りず、専門技術者の作業の妨げを招いたり、充分に技術を発揮できない事があった。
（ロ）携帯性に着眼しすぎた為、柄部の着脱を可能にした場合、作業中に簡単に先端部分が脱落したり、先端部分と柄部の結合が充分出ない為、本来のブラシの役目を十分発揮出来なかった。
（ハ）劣悪な毛筆を使用した場合、毛がたやすく抜けたり、毛先がばらばらになってしまい、ブラシ自体の機能を果たさないもの、肌への接触感が痛みを伴うもの、最悪の場合には、肌トラブル等の原因にもなった。
（ニ）ブラシの管理方法への配慮不足の為、ポーチのマチ幅とブラシの幅が不十分である為、一つのマチに複数のブラシを入れる事に依り、ブラシを痛めたり。ポーチ上部にブラシカバーを設定していない場合は、ブラシの毛先を痛める結果をまねいた。
本発明は、これらの欠点を解決するために、なされたものである。
【発明の開示】
【課題を解決するための手段】
【００４】ブラシにおいては、柄部の長さ、手動部の太さ、毛束の広がり、毛質に重点を置いて、多数の既存の製品を国内外でで出切る限り多数比較検討し、プロ仕様の高度なテクニックに対応出来得る製品に仕上げた。柄部の長さ、手動部の太さに関しては、複数のシュミレーションを組んで最上の長さと太さを割り出した。
尚、柄部の色は、特にこのブラシセットの為に、発色の段階から、独特のオリジナルカラーを指定し、全体のイメージを高める為に特に努力した。ブラシのデザインは、専門家が使用するにふさわしい形状、重厚感を追求した。毛質の極上感を重視し、ミックスする毛質のパーセンテージ、使用する毛質を慎重に選択して、ヨーロッパ全域から可能な限りの素材を集めた。
ポーチにおいては、ブラシの重なりを極力防止する為、マチの間隔、幅を特に考慮した。又、ポーチの上部にブラシプロテクターを付ける事によりブラシの毛先を保護する事を可能にし、ブラシを最適な状態で保管出来る機能性を追求した。又、ポーチの材質、形状、デザイン性にも充分配慮して、プロが使用するにふさわしい重厚感、デザイン性を極限まで追求した。
【発明を実施するための最良の形態】
【００５】以下、本発明の実施の形態について説明する。
ブラシの柄部の長さは、技術者が仕事をする際、最も手を動かしやすい長さと多数のテストを繰り返して割り出した。同様に柄部手動部の太さについても複数のテストを繰り返して握り手の最も理想的な太さを計算した。
毛束の広がりの角度、厚さについては、各々の筆の効果が最大限に生かせる様に工夫した。特に図４のファンブラシについては、柄部手動部とブラシの扇形の広がりの比率を工夫した。又、毛束の厚みは、肌にあたった時の密着度のここち良さを優先した。
毛質については、肌へのあたり方を第一に考えて、各々の筆の効果が最も表れる様に、筆のもつ効能と毛筆を結びつけて考えた。その為、毛をミックスする際、毛の配分率を工夫した。毛筆に関しては、考え得る最上の材質を使用した。
【実施例】
【００６】図１から図１１は、本発明の化粧用ブラシセットとポーチの正面図である。以下に、図１から図１１の実施例で、本発明を更に詳細に説明する。【００７】１ｃの刷毛の穂先が段々にカットになっているパウダーが均一にブラシにつき、均一に肌にパウダーをつける事が出来る。毛質がソフトな上、コシがある為美しい仕上がりが期待出来る。１ｂの柄部のグリップの太さが作業のスムーズ性を助ける。【００８】２ｃの刷毛の穂先がパウダーブラシより丸味を帯びている為、パウダーブラシより、細部への作業に最適であり、より効果的な最終チェックに役立つ。
毛質がソフトな上、コシがある為肌へのフィット感、接触感は極上である。【００９】３ｃは、ほほ骨にチークを入れる際に最適な穂先の長さ、太さを実現した刷毛の根本に適度な腰を加え従来より立体的にチークを仕上げる事が可能になった。３ｂの柄部のグリップの太さと３ｃの刷毛のコシのバランス感・重厚感を考慮して使用する際の安定感、仕上がるの立体感を追求した。【０１０】４ｃの刷毛の扇状の広がりの角度を工夫し、パウダー類をとり除く際、最も機能的に使用出来る様にした。従来のものは扇状の広がりの角度、大きさ、長さが不充分であった。刷毛の根本と穂先の部分の毛質のコシ、柔軟性を２段階に分け、肌への接触感、フィット感を徹底的に追求した。形状のエレガント性を従来のものより高めた。【０１１】５ｃの刷毛は、従来のものは、穂先の大きさがアイホールに不適当なものが多かったので平均的なアイホールにフィットする大きさを追求した。目の上の最も敏感な部分の作業に適した高品質な毛質をブレンドした。図５アイシャドーブラシ（長）を２本セットにした事により、ダークカラー用、ライトカラー用と区別して使用出来る事を可能にし、作業の効率化を計った。
５ｅの穂先用サックをつける事により、デリケートな穂先の痛みを防止した。【０１２】６ｃの刷毛は、従来のものは、目尻の陰影をつける際刷毛のカットの方向、刷毛の根元のコシ、刷毛の大きさ、太さ等不充分であったが、細部の作業に適した形状、毛質を追求した結果、微妙な陰影作りを可能にした。図６アイシャドーブラシ（短）を２本セットにした為、ダークカラー用、ライトカラー用区別して使用出来、作業の効率化を計った。
６ｅの穂先用サックをつける事により、デリケートな穂先の痛みを防止した。【０１３】７ｃのスクリュー部は、従来のものは、長すぎたり肌あたりの悪いものが多かったが、スクリューのコイルの巻き加減、肌あたりを追求した。
スクリュー部とブラシの全長の長さを工夫してブラシを横にして眉の毛流を整える際の作業の効率化を計った。７ｂのスクリューを回転させる際の柄の部分の太さも回転がスムースに出来る様に柄の中心部分の太さのバランスを工夫した。【０１４】図８のアイブロウ専用ブラシは、従来は、ブラシセットに入っている事が少なかった。又入っていた際も８ｄの穂先のカットや角度、厚みが不充分のものが多い上、ソフト感が欠如していた。８ｄの穂先のカットや角度、厚み、フィット感を充分考慮して毛質も最上の品質を使用した。【０１５】９ｃの刷毛は、従来のものは、長さ、大きさ、厚さ、毛質等にバラつきがあった。９ｄの穂先を平らにカットする事によりより正確な美しいリップラインを描く事を可能にした。デリケートな口びるの部分の作業をスムースに行う為毛質の選択にも配慮して、刺激を可能な限りなくしなおかつ９ｃの刷毛部分のコシを追求した。９ｃの刷毛部分をケースに入れる事により９ｄの穂先の痛み、機能性、衛生面にも配慮した。【０１６】図１０のメイクアップブラシポーチは、ポーチの材質、形状、デザイン性も充分考慮して、このポーチのためのオリジナルデザインを起こし、ポーチの材質選択にも徹底的にこだわった。１０ｆのマチは、ブラシの柄部の太さとマチの幅を充分検討し、１つのマチに１本のメイクブラシを入れるスペースを確保した。また、ポーチの上部に１０ｇのブラシプロテクターを付ける事により、ブラシの毛先を保護し、ブラシを最適な状態で保管できる機能性を備えた。
【発明の効果】
【０１７】ブラシのデザイン性重視の傾向が一般的に強い為、ブラシ柄部の長さや太さは、二次的に考えられがちであったが、本製品は、ブラシのデザイン性も考えながら実際に使用する際の技術者の立場に立って、ブラシの柄部の長さと太さのベストバランスを考え出した。これは、発明者も長年メイクアップアーティストを職業としている専門技術者であるからに依るものである。ブラシ柄部の長さと太さのバランスは、専門技術者の仕事の効率性と仕上がりの良さに直接大きい影響を与える要素の一つと考えられる。
携帯性に着眼しすぎた結果、柄部を離脱可能にしたり、柄部の長さを短くした為、作業中に先端部分が脱落したり、不安定に接続している為、充分に技術者がブラシを使う事が不可能な状態をまねいたりしない様に、柄部と毛束の接合は、着脱可能形式をとらずに、あくまで専門技術者が、その力を十二分に発揮できる様にセットした。
又、劣悪な毛質の毛束を使用した際におこる様々な問題点を充分考慮に入れ、肌への接触感を重視した。単に肌への接触感がソフトなだけでなく、毛束のコシも充分考慮した。ブラシの肌への接触感とコシは、ブラシの良し悪しを決定する際に第一に考えなければいけない要素である為である。ここち良い接触感とほど良いコシを備えたブラシは、専門技術者に納得のいく仕事を提供する為の必要不可欠条件だと確信している。
【図面の簡単な説明】
【０１８】
【図１】図１は、本発明の化粧用ブラシセットの一つであるパウダーブラシの斜視図である。
【図２】図２は、本発明の化粧用ブラシセットの一つであるフィニシングブラシの斜視図である。
【図３】図３は、本発明の化粧用ブラシセットの一つであるチークブラシの斜視図である。
【図４】図４は、本発明の化粧用ブラシセットの一つであるファンブラシの斜視図である。
【図５】図５は、本発明の化粧用ブラシセットの一つであるアイシャドーブラシ（長）の斜視図である。
【図６】図６は、本発明の化粧用ブラシセットの一つであるアイシャドーブラシ（短）の斜視図である。
【図７】図７は、本発明の化粧用ブラシセットの一つであるスクリューブラシの斜視図である。
【図８】図８は、本発明の化粧用ブラシセットの一つであるアイブロウブラシの斜視図である。
【図９】図９は、本発明の化粧用ブラシセットの一つであるリップブラシの斜視図である。
【図１０】図１０は、本発明のポーチの正面図である。
【図１１】図１１は、本発明のポーチの内部の展開図である。
【符号の説明】
【０１９】１ａ、２ａ、３ａ、４ａ、５ａ、６ａ、７ａ、８ａ、９ａ・・各ブラシの管状部
１ｂ、２ｂ、３ｂ、４ｂ、５ｂ、６ｂ、７ｂ、８ｂ、９ｂ・・各ブラシの柄
１ｃ、２ｃ、３ｃ、４ｃ、５ｃ、６ｃ、７ｃ、８ｃ、９ｃ・・各ブラシの刷毛
８ｄ、９ｄ・・各ブラシの穂先
５ｅ、６ｅ・・各ブラシの穂先用サック
１０ｆ・・マチ  １０ｇ・・ブラシプロテクター
１ｘ、２ｘ、３ｘ、４ｘ、５ｘ、６ｘ、７ｘ、８ｘ、９ｘ・・各ブラシの固定部
【図１】
2006095248.tif 000003
【図２】
2006095248.tif 000004
【図３】
2006095248.tif 000005
【図４】
2006095248.tif 000006
【図５】
2006095248.tif 000007
【図６】
2006095248.tif 000008
【図７】
2006095248.tif 000009
【図８】
2006095248.tif 000010
【図９】
2006095248.tif 000011
【図１０】
2006095248.tif 000012
【図１１】
2006095248.tif 000013